(57)【要約】【課題】  所望の条件に合った装置のログ情報から指標値を求めることにより、有効な比較を行うことが可能な指標値提供システム及び指標値提供方法を提供すること。【解決手段】  医用機器の識別情報と医用機器についてのログ情報とを関連付けて記憶する第１のデータベースと、医用機器の識別情報と、少なくとも医用機器が設置される病院の病院種別または病院規模についての情報を含む装置・病院情報とを関連付けて記憶する第２のデータベースと、ユーザが所望する少なくとも１つの装置・病院情報を含む条件を受け付ける受け付け手段と、第２のデータベースを検索して条件に合う医用機器の識別情報を抽出する識別情報抽出手段と、抽出された識別情報に該当する医用機器についてのログ情報を第１のデータベースから抽出し、その抽出したログ情報に基づいて指標値を求める指標値演算手段とを備える。【選択図】      図１
2005234983.tif 000002
【特許請求の範囲】
【請求項１】
評価対象の医用機器の動作状況を他の医用機器の動作状況と比較するための指標値をユーザに提供する指標値提供システムであって、
医用機器の識別情報と医用機器についてのログ情報とを関連付けて記憶する第１のデータベースと、
前記医用機器の識別情報と、少なくとも医用機器が設置される病院の病院種別または病院規模についての情報を含む装置・病院情報とを関連付けて記憶する第２のデータベースと、
前記ユーザが所望する少なくとも１つの前記装置・病院情報を含む条件を受け付ける受け付け手段と、
前記第２のデータベースを検索して前記条件に合う前記医用機器の識別情報を抽出する識別情報抽出手段と、
前記抽出された識別情報に該当する医用機器についてのログ情報を前記第１のデータベースから抽出し、その抽出したログ情報に基づいて前記指標値を求める指標値演算手段と、を備えることを特徴とする指標値提供システム。
【請求項２】
前記条件に合う前記医用機器は、第２のデータベースに関連付けて記憶された装置・病院情報が前記ユーザが所望する少なくとも１つの前記装置・病院情報と同じ医用機器である請求項１に記載の指標値提供システム。
【請求項３】
前記ユーザが所望する少なくとも１つの前記装置・病院情報は、前記評価対象の医用機器についてのものであって、
前記条件に合う前記医用機器は、第２のデータベースに関連付けて記憶された装置・病院情報が前記ユーザが所望する前記評価対象の医用機器についての少なくとも１つの前記装置・病院情報と同じ医用機器である請求項１に記載の指標値提供システム。
【請求項４】
前記受け付け手段は、更に前記ユーザが所望する指標値の種類を受け付け、
前記指標値演算手段は、前記ユーザが所望する種類の指標値を求める請求項１乃至請求項３のいずれかに記載の指標値提供システム。
【請求項５】
前記指標値演算手段は、前記抽出された識別情報に該当する医用機器についての前記第１のデータベースに記憶されたログ情報に基づく動作状況の分布に対する前記評価対象となる医用機器の動作状況の分布位置を求めて、前記求めた分布位置に応じて前記指標値を求める請求項１乃至請求項３のいずれかに記載の指標値提供システム。
【請求項６】
前記評価対象の医用機器についてのログ情報を前記第１のデータベースから抽出し、その抽出したログ情報に基づいて前記評価対象の医用機器の動作状況を示す評価値を求める評価値演算手段と、
前記求めた指標値及び前記求めた評価値とを併せて提供する提供手段と、を更に備える請求項１乃至請求項５のいずれかに記載の指標値提供システム。
【請求項７】
前記抽出された識別情報に該当する医用機器についてのログ情報を前記第１のデータベースから抽出し、その抽出したログ情報に基づいて前記抽出された医用機器の動作状況を示すそれぞれの評価値を求め、その求めたそれぞれの評価値の分布を示すグラフを作成するグラフ作成手段を更に備え、
前記提供手段は、更に、前記作成されたグラフを併せて提供する請求項６に記載の指標値提供システム。
【請求項８】
前記評価値演算手段は、前記評価対象の医用機器についての所定の期間のログ情報を前記第１のデータベースから抽出し、その抽出したログ情報に基づいて前記評価対象の医用機器の動作状況を示す評価値を求め、
前記指標値演算手段は、更に、前記評価対象の医用機器についての前記所定の期間より以前のログ情報を前記第１のデータベースから抽出し、その抽出した以前のログ情報に基づいて前記評価対象の医用機器の過去の動作状況を示す履歴情報を求め、
前記提供手段は、更に、前記求めた履歴情報を併せて提供する請求項６または請求項７に記載の指標値提供システム。
【請求項９】
前記動作状況は、一検査当たりの平均検査時間、一日当たりの平均検査回数、一検査当たりの平均画像再構成枚数、一時間当たりの検査した患者数、稼働時間に対する検査時間の割合、及び、一検査当たりの平均スライス数の内少なくともいずれか１つで示される請求項１乃至請求項８のいずれかに記載の指標値提供システム。
【請求項１０】
医用機器の識別情報と医用機器についてのログ情報とを関連付けて記憶し第１のデータベースとする段階と、
前記医用機器の識別情報と、少なくとも医用機器が設置される病院の病院種別または病院規模についての情報を含む装置・病院情報とを関連付けて記憶し第２のデータベースとする段階と、
少なくとも１つの前記装置・病院情報に関しユーザが所望する条件を受け付ける段階と、
前記第２のデータベースを検索して前記所望の条件に合う前記医用機器の識別情報を抽出する段階と、
前記抽出された識別情報に該当する医用機器についてのログ情報を前記第１のデータベースから抽出する段階と、
その抽出したログ情報に基づいて、前記指標値を求める段階と、を含むことを特徴とする指標値提供方法。
【請求項１１】
前記評価対象の医用機器についてのログ情報を前記第１のデータベースから抽出する段階と、
その抽出したログ情報に基づいて、前記評価対象の医用機器の動作状況を示す評価値を求める段階と、
前記求めた指標値及び前記求めた評価値とを併せて提供する段階と、を更に含む請求項１０に記載の指標値提供方法。
【発明の詳細な説明】
【技術分野】
【０００１】
本発明は、医用機器の動作状況を他の医用機器の動作状況と比較するための指標値を提供する指標値提供システム及び指標値提供方法に関する。
【背景技術】
【０００２】
現在、医療診断装置の利用状況や装置の状態を、顧客にレポートとして配信するシステムがある。そのレポートは、医療診断装置について解析された様々なコンテンツを含むが、その１つに、装置の動作状況を表す評価値を他の装置の利用状況と比較するためのベンチマーク（指標値）がある。
【０００３】
ところが、従来のベンチマークは、比較する他の装置についての、例えば病床数で示される病院規模、脳神経、循環器などその病院が専門とする分野を示す病院種別などを考慮して作成されたものではない。従って、例えば、病床数が１００以下の病院での利用状況を示す評価値を病床数が５００以上の病院の利用状況を多く含んで求めたベンチマークと比較しても意味が無いなど、単純に比較できない場合があった。
【０００４】
そこで、機器のイベントリを提供する方法において、医療機構などと対応するプロファイルにより、同様の機構と部門に対するリファレンスデータを比較するものがある（例えば、特許文献１参照。）。
【０００５】
例えば、特許文献１に記載のようにしてプロファイルにより定義される同様の機構と部門における装置の利用状況からベンチマークをもとめることにより、同等の機構の装置と比較することはできる。
【０００６】
【特許文献１】特開２００２−９２１８１号公報
【発明の開示】
【発明が解決しようとする課題】
【０００７】
しかしながら、比較対照がプロファイルにより定義される同等の機構に限られてしまい、例えば、同じタイプの装置についての利用状況や、或いは異なる病床数の病院の医療装置の利用状況と比較するためのベンチマークの提供はできない。
【０００８】
また、従来は、予め決められたベンチマーク（例えば、他の装置の評価値の平均値）が表示されるので、評価値によっては、かけ離れすぎていて比較しても意味が無いなど、有効な比較とならない場合もあった。
【０００９】
本発明は、上記事情に鑑みてなされたものであり、その目的とするところは、装置の利用状況についての評価値を比較するためのベンチマークを、所望の条件に合った他の装置の利用状況から求めることにより、有効な比較を行うことが可能となる指標値提供システム及び指標値提供方法を提供することにある。
【００１０】
さらに、比較する評価値に応じて表示するベンチマークを変化させて有効な比較を行うことを可能にすることである。
【課題を解決するための手段】
【００１１】
上記課題を解決するために請求項１記載の発明は、評価対象の医用機器の動作状況を他の医用機器の動作状況と比較するための指標値をユーザに提供する指標値提供システムであって、医用機器の識別情報と医用機器についてのログ情報とを関連付けて記憶する第１のデータベースと、前記医用機器の識別情報と、少なくとも医用機器が設置される病院の病院種別または病院規模についての情報を含む装置・病院情報とを関連付けて記憶する第２のデータベースと、前記ユーザが所望する少なくとも１つの前記装置・病院情報を含む条件を受け付ける受け付け手段と、前記第２のデータベースを検索して前記条件に合う前記医用機器の識別情報を抽出する識別情報抽出手段と、前記抽出された識別情報に該当する医用機器についてのログ情報を前記第１のデータベースから抽出し、その抽出したログ情報に基づいて前記指標値を求める指標値演算手段と、を備えることを特徴としている。
【００１２】
また、請求項２記載の発明は、前記条件に合う前記医用機器は、第２のデータベースに関連付けて記憶された装置・病院情報が前記ユーザが所望する少なくとも１つの前記装置・病院情報と同じ医用機器であることを特徴としている。
【００１３】
また、請求項３記載の発明は、前記ユーザが所望する少なくとも１つの前記装置・病院情報は、前記評価対象の医用機器についてのものであって、前記条件に合う前記医用機器は、第２のデータベースに関連付けて記憶された装置・病院情報が前記ユーザが所望する前記評価対象の医用機器についての少なくとも１つの前記装置・病院情報と同じ医用機器であることを特徴としている。
【００１４】
また、請求項４記載の発明は、前記受け付け手段は、更に前記ユーザが所望する指標値の種類を受け付け、前記指標値演算手段は、前記ユーザが所望する種類の指標値を求めることを特徴としている。
【００１５】
また、請求項５記載の発明は、前記指標値演算手段は、前記抽出された識別情報に該当する医用機器についての前記第１のデータベースに記憶されたログ情報に基づく動作状況の分布に対する前記評価対象となる医用機器の動作状況の分布位置を求めて、前記求めた分布位置に応じて前記指標値を求めることを特徴としている。
【００１６】
また、請求項６記載の発明は、前記評価対象の医用機器についてのログ情報を前記第１のデータベースから抽出し、その抽出したログ情報に基づいて前記評価対象の医用機器の動作状況を示す評価値を求める評価値演算手段と、前記求めた指標値及び前記求めた評価値とを併せて提供する提供手段と、を更に備えることを特徴としている。
【００１７】
また、請求項７記載の発明は、前記抽出された識別情報に該当する医用機器についてのログ情報を前記第１のデータベースから抽出し、その抽出したログ情報に基づいて前記抽出された医用機器の動作状況を示すそれぞれの評価値を求め、その求めたそれぞれの評価値の分布を示すグラフを作成するグラフ作成手段を更に備え、前記提供手段は、更に、前記作成されたグラフを併せて提供することを特徴としている。
【００１８】
また、請求項８記載の発明は、前記評価値演算手段は、前記評価対象の医用機器についての所定の期間のログ情報を前記第１のデータベースから抽出し、その抽出したログ情報に基づいて前記評価対象の医用機器の動作状況を示す評価値を求め、前記指標値演算手段は、更に、前記評価対象の医用機器についての前記所定の期間より以前のログ情報を前記第１のデータベースから抽出し、その抽出した以前のログ情報に基づいて前記評価対象の医用機器の過去の動作状況を示す履歴情報を求め、前記提供手段は、更に、前記求めた履歴情報を併せて提供することを特徴としている。
【００１９】
また、請求項９記載の発明は、前記動作状況は、一検査当たりの平均検査時間、一日当たりの平均検査回数、一検査当たりの平均画像再構成枚数、一時間当たりの検査した患者数、稼働時間に対する検査時間の割合、及び、一検査当たりの平均スライス数の内少なくともいずれか１つで示されることを特徴としている。
【００２０】
また、請求項１０記載の発明は、医用機器の識別情報と医用機器についてのログ情報とを関連付けて記憶し第１のデータベースとする段階と、前記医用機器の識別情報と、少なくとも医用機器が設置される病院の病院種別または病院規模についての情報を含む装置・病院情報とを関連付けて記憶し第２のデータベースとする段階と、少なくとも１つの前記装置・病院情報に関しユーザが所望する条件を受け付ける段階と、前記第２のデータベースを検索して前記所望の条件に合う前記医用機器の識別情報を抽出する段階と、前記抽出された識別情報に該当する医用機器についてのログ情報を前記第１のデータベースから抽出する段階と、その抽出したログ情報に基づいて、前記指標値を求める段階と、を含むことを特徴としている。
【００２１】
また、請求項１１記載の発明は、前記評価対象の医用機器についてのログ情報を前記第１のデータベースから抽出する段階と、その抽出したログ情報に基づいて、前記評価対象の医用機器の動作状況を示す評価値を求める段階と、前記求めた指標値及び前記求めた評価値とを併せて提供する段階と、を更に含むことを特徴としている。
【発明の効果】
【００２２】
請求項１記載の指標値提供システムによれば、少なくとも１つの装置・病院情報を含むユーザが所望する条件を受け付けて、評価対象の医用機器の動作状況を比較するための指標値を、少なくとも１つの装置・病院情報を含む所望の条件に合う医用機器のログ情報から求めるので、有効な比較を行うことができる。
【００２３】
請求項２記載の指標値提供システムによれば、ユーザが所望する少なくとも１つの装置・病院情報を含む条件を受け付けて、評価対象の医用機器の動作状況を比較するための指標値を、ユーザが所望する少なくとも１つの装置・病院情報と同じ医用機器のログ情報から求めるので、有効な比較を行うことができる。
【００２４】
請求項３記載の指標値提供システムによれば、ユーザが所望する評価対象の医用機器についての少なくとも１つの装置・病院情報を含む条件を受け付けて、評価対象の医用機器の動作状況を比較するための指標値を、ユーザが所望する評価対象の医用機器についての少なくとも１つの装置・病院情報と同じ医用機器のログ情報から求めるので、有効な比較を行うことができる。
【００２５】
請求項４記載の指標値提供システムによれば、評価対象の医用機器の動作状況を比較するための指標値を、ユーザが所望する種類の指標値で求めるので、ユーザにとって有意義な指標値を提供することができる。
【００２６】
請求項５記載の指標値提供システムによれば、評価対象の医用機器の動作状況を比較するための指標値を、評価対象となる医用機器の動作状況の分布位置に応じて求めるので、目標値とすることができるような有意義な指標値を提供することができる。
【００２７】
請求項６記載の指標値提供システムによれば、評価対象の医用機器の動作状況を示す評価値と指標値を併せて提供するので、一目で比較ができる。
【００２８】
請求項７記載の指標値提供システムによれば、動作状況の分布を示すグラフを更に提供するので、評価対象の医用装置の評価値の分布位置を一目で把握できる。
【００２９】
請求項８記載の指標値提供システムによれば、所定の期間より以前の評価対象の医用機器の動作状況を示す履歴情報を更に提供するので、他の医用装置の動作状況とばかりでなく、過去の動作状況との比較もできる。
【００３０】
請求項９記載の指標値提供システムによれば、一検査当たりの平均検査時間、一日当たりの平均検査回数、一検査当たりの平均画像再構成枚数、一時間当たりの検査した患者数、稼働時間に対する検査時間の割合、及び、一検査当たりの平均スライス数の少なくともいずれか１つで示される動作状況について請求項１乃至請求項８に記載の効果を得ることができる。
【００３１】
請求項１０記載の指標値提供方法によれば、少なくとも１つの装置・病院情報を含むユーザが所望する条件を受け付けて、評価対象の医用機器の動作状況を比較するための指標値を、少なくとも１つの装置・病院情報を含む所望の条件に合った医用機器のログ情報から求めるので、有効な比較を行うことができる。
【００３２】
請求項１１記載の指標値提供方法によれば、評価対象の医用機器の動作状況を示す評価値と指標値を併せて提供するので、一目で比較ができる。
【発明を実施するための最良の形態】
【００３３】
本発明の指標値提供システムは、医用機器（医療診断装置、情報システム等）に関わる装置の稼動状況を示す稼動情報、環境の状態を示す環境情報、故障、修理状況などの保守情報、装置の質的状態に関する品質情報などのログ情報（詳細後述）を収集し、その内容を解析して医用装置の動作状況を示す評価値を求めるとともに、他の医用装置の動作状況と比較するための指標値となるベンチマークを求めユーザに提供するものである。医療診断装置としては、例えば、Ｘ線断層撮影装置（ＣＴ装置）、核磁気共鳴診断装置（ＭＲＩ装置）、Ｘ線診断装置、超音波診断装置、核医学診断装置等がある。情報システムとしては、画像保管通信システム（ＰＡＣＳ）、放射線部門情報管理システム等がある。以下、本発明の実施形態について図面を用いて説明する。
【００３４】
（システム構成）
本発明の指標値提供システムの一実施形態として、医療診断装置についてのログ情報を収集・解析して評価値を求めるとともにベンチマークを求めレポートとして配信するシステムを例に示す。図１はその構成を示す機能ブロック図である。まず、サービスセンタの指標値提供システム１は、専用通信回線やインターネット等のネットワーク３により、サービスプロセッサ５、及び、クライアント端末２と接続されている。また、サービスプロセッサ５には、医療診断装置４が接続されている。図１では、医療診断装置４、及び、サービスプロセッサ５は図が煩雑にならないように各１台で示したが、複数接続されている。また、クライアント端末２は、複数であってもよい。
【００３５】
医療診断装置４は、操作者の操作、装置各部の検出する信号、または、温度などの環境値などから、ログ情報を作成し、ログ情報をサービスプロセッサ５に送信するログ情報作成手段４０１を備える。
【００３６】
サービスプロセッサ５は、医療診断装置４からのログ情報を受け付けて、装置ＩＤ（後述）を付してログ情報を指標値提供システム１に送信するログ情報送信手段５０１を備える。この指標値提供システム１への送信は、ログ情報送信手段５０１がログ情報を受け付けたとき時に行っても良いし、受け付けたログ情報を保存し定期的または指標値提供システム１からの要求に応じて行うようにしても良い。また、装置ＩＤは、医療診断装置４が付してもよい。
【００３７】
クライアント端末２は、主にユーザが使用するもので、ネットワーク３を介して情報の送受信を行う通信手段２０１、ウェブサーバ１１から通信手段２０１を介して各種情報を受け付け、受け付けた情報に基づいて表示手段２０３で表示を行うとともに、入力手段２０４での入力を受けて通信手段２０１を介して情報をウェブサーバ１１に送信するウェブブラウザ機能と、通信手段２０１を介して電子メールの送受信を行うための機能とを有する管理手段２０２を備えている。
【００３８】
指標値提供システム１は、管理者端末１７、必要な情報を電子メールとして所定のメールアドレスに対して送信するメール送信手段１３１を備えるメールサーバ１３、ネットワーク３を介して情報の送受信を行うとともに、受信した情報の管理を行うウェブサーバ１１、サービスプロセッサ５から送信されるログ情報を装置ＩＤと関連付けて記憶するログ情報ＤＢ（ＤＢは、データベースを示す）１５（第１のデータベース）、接続される医療診断装置の装置ＩＤと装置・病院情報（後述）を関連付けて記憶する装置・病院情報ＤＢ１４（第２のデータベース）、ログ情報ＤＢ１５に記憶された医療診断装置４のログ情報に基づいて予め記憶する形式でレポートを作成する、または、クライアント端末２の表示手段２０３で表示可能な画面情報を予め記憶する形式で作成するレポート作成サーバ１２を備えている。
【００３９】
管理者端末１７は、各種の入力が可能な入力手段１０１、各種表示を行う表示手段１０２を備える。
【００４０】
ウェブサーバ１１は、ネットワーク３を介して情報の送受信を行う通信手段１１１、管理者端末１７からの要求や通信手段１１１を介するクライアント端末２からの要求に応じて情報や画面情報などを送信する機能、及び、管理者端末１７、クライアント端末２及びサービスプロセッサ５から送信される各種情報を通信手段１１１を介して受け付ける受け付け手段としての機能とともに、各種情報を管理する機能を有するデータ管理手段１１２で構成される。データ管理手段１１２の行う管理は、具体的には、ログ情報のログ情報ＤＢへの登録、装置・病院情報の装置・病院情報ＤＢ１４への登録、後述のベンチマーク対象装置情報のベンチマーク対象装置ＩＤ抽出手段１２２への送信、後述の評価項目のベンチマーク計算モジュール１６への送信である。
【００４１】
レポート作成サーバ１２は、ベンチマーク対象装置情報に基づいて装置・病院情報ＤＢ１４を検索してベンチマーク対象の装置ＩＤを抽出するベンチマーク対象装置ＩＤ抽出手段１２２（識別情報抽出手段）、ログ情報に基づいて評価対象の医療診断装置の評価項目についての評価値、ベンチマークを算出するベンチマーク計算モジュール１６、評価値、ベンチマーク等を貼り付けて併せて提供する提供手段としての機能とメールアドレスなどの情報を記入するなどレポートとしての体裁を整えレポートとするレポート化手段１２３、作成されたレポートを電子メールで配信する場合にはメールサーバ１３に送り、クライアント端末２からの要求に応じて画面情報を送信する場合にはウェブサーバ１１に送るレポート配信手段１２１を備えている。
【００４２】
ベンチマーク計算モジュール１６は、評価対象の医療診断装置ログ情報をについてのログ情報をログ情報ＤＢから抽出し解析して評価対象の医療診断装置の評価項目についての評価値を算出する評価対象装置評価値演算手段１６１（評価値演算手段）、ベンチマーク対象装置ＩＤ抽出手段１２２で抽出された装置ＩＤに該当するベンチマーク対象装置についてのログ情報をログ情報ＤＢから抽出し解析して評価項目を求めてベンチマークを算出するベンチマーク演算手段１６２（指標値演算手段）を備える。
【００４３】
以上のような構成により、指標値提供システム１は、収集された医療診断装置４のログ情報を解析して評価対象の医療診断装置の評価項目についての評価値とベンチマークとを含むレポートを作成し、メールで配信したり、ブラウザを用いて表示させることを行う。
【００４４】
（装置・病院情報の登録）
次に図２及び図３を用いて装置・病院情報の登録手順を説明する。図２は、装置・病院情報の登録手順を示すシーケンス図、図３は、装置・病院情報を入力するための表示画面の一例を示す図である。装置・病院情報の登録は、管理者端末１７、クライアント端末２、医療診断装置４、及び、専用の端末などを用いて入力することが可能である。ここでは、クライアント端末２を用いた入力を例として説明する。
【００４５】
図２によれば、まず、ユーザがクライアント端末２を用いてブラウザを立ち上げてウェブサーバ１１にアクセスする（ステップＳ２０１、以下「ステップＳ２０１」は「Ｓ２０１」のように省略して表す。他のステップも同様。）。ウェブサーバ１１は、データ管理手段１１２でアクセス要求を受けて、クライアント端末２に認証のための所定の認証コード（例えば、ユーザＩＤ及びパスワードなど）を入力するように要求する（Ｓ２０２）。ユーザは、クライアント端末２を用いて所定の認証コードを入力しウェブサーバ１１へ送信するとともに画面表示要求を行う（Ｓ２０３）。ウェブサーバ１１は、データ管理手段１１２でこれを受けて、画面情報を送信する（Ｓ２０４）。そして、クライアント端末２に画面が表示される。この画面表示要求、画面情報送信を繰り返して、ユーザは、クライアント端末２に所望の画面を表示させる。
【００４６】
上述のような手順により、図３に示す装置・病院情報登録画面８０１を表示させて装置・病院情報の登録のための入力を行う。装置・病院情報登録画面８０１の画面情報は予め記憶手段（不図示）に記憶され、図３に示すように、医療診断装置の識別をするための識別情報である装置ＩＤを入力するための装置ＩＤ入力欄８１１と、装置・病院情報を入力するための装置・病院情報入力欄８１２、及び、入力された内容を指標値提供システム１に送信するための送信キー８１３が表示されている。まず、装置ＩＤ入力欄８１１に、ログ情報に付されるもので個々の医療診断装置に与えられる識別情報である装置ＩＤを入力する。
【００４７】
装置・病院情報は、医療診断装置についての「装置種別」及び「装置モデル」、及び、医療診断装置の稼動時間を示す「装置稼働時間」などの医療診断装置についての情報を含む装置情報と、医療診断装置が備えられている病院の、専門とする分野を示す「病院種別」、経営の大きさを示す「病院規模」、経営形態を示す「病院経営体」、及び、場所を示す「病院地域」などの病院についての情報を含む病院情報とを含んでいる。
【００４８】
また、装置・病院情報は、装置・病院情報入力欄８１２に表示される、「装置種別」、「装置モデル」、「病院種別」、「病院規模」、「病院経営体」、「病院地域」、及び、「装置稼働時間」等の項目についての内容を示すチェックボックスをチェックすることで入力される。
【００４９】
そして、送信キー８１３をクリックして、画面での入力された、装置ＩＤと装置・病院情報を指標値提供システム１のデータ管理手段１１２に送信する（Ｓ２０５）。データ管理手段１１２は、装置・病院情報ＤＢ１４に図４に示すような構成で、入力された装置ＩＤに対して装置・病院情報を関連付けて記憶させる（Ｓ２０６）。
【００５０】
（ログ情報登録手順）
次に、図５を用いてログ情報の登録手順を説明する。図５は、ログ情報の登録手順を示すシーケンス図である。
【００５１】
まず、医療診断装置４のログ情報作成手段４０１は、医療診断装置における操作者の操作や入力する情報、装置各部の検出する信号などから、ログ情報を作成し（Ｓ３０１）、サービスプロセッサ５に送信する（Ｓ３０２）。サービスプロセッサ５のログ情報送信手段５０１は、ログ情報を受け付けて、ログ情報に装置ＩＤ（装置ＩＤは装置・病院情報ＤＢ１４に記憶される装置ＩＤと対応したものであり、予め医療診断装置４またはサービスプロセッサ５に記憶しておく）を付して、ネットワーク３を介して指標値提供システム１のデータ管理手段１１２に送信し（Ｓ３０３）、データ管理手段１１２は、ログ情報を受けてログ情報ＤＢ１５に装置ＩＤと関連付けて登録する（Ｓ３０４）。また、サービスプロセッサ５では、受信したログ情報を保存して、定期的または指標値提供システム１からの要求に応じて登録を行うようにしても良い。また、ログ情報によっては、クライアント端末２や専用のツールを用いての入力がログ情報としてログ情報ＤＢに登録されるものもある。
【００５２】
ログ情報には、上述したように装置の稼動状況を示す稼動情報、温度などの環境の状態を示す環境情報、故障、修理状況などの保守情報、装置の質的状態に関する品質情報などがあるが、ＣＴ装置を例にさらに詳細に説明する。
【００５３】
稼動情報は、装置が稼動していた時間、検査を行った時間、検査で何枚の画像を撮ったかを示すものであり、例えば、装置の起動時刻、装置の終了時刻、及び、検査情報を含む。検査情報は、検査対象の患者に関する患者情報（例えば、患者識別のための患者ＩＤ）、検査開始時刻、検査終了時刻、検査でのスキャンの部位を示すスキャン種別、スキャン開始時刻、スキャン終了時刻、スキャン中に行う患者スキャンプラン設定などのプロセス（工程）を示すプロセス種別、プロセス開始時刻、プロセス終了時刻、及び、スキャンで再構成した画像の枚数を含む。また、これらの情報は、例えば、図６に示すような形式で構成され、装置情報が付されている（以下に示す環境情報、保守情報及び品質情報も同様に図６に示すような形式である。）。また、検査情報は、検査、スキャン及びプロセスについて、開始時間及び終了時間に加えまたは代えて各時間を情報として含んでもよい。
【００５４】
また、環境情報は、装置の置かれた環境の温度、湿度、供給される電力など状態をしめすものであり、温度測定日時と温度、湿度測定日時と湿度、及び、電力測定日時と供給される電力から成り立っている。
【００５５】
また、保守情報は、修理内容、修理時間などの修理に関わる情報を示す修理情報、定期点検の内容、点検時間など定期点検に関わる情報を示す定期点検情報、装置で発生するアラート（緊急通知）の内容、アラート発生日時などアラートに関わるアラート情報、サービスセンタへの電話問い合わせ日時などの電話情報、特定部品の交換推奨値などを示す部品情報、特定部品の交換日時、及び、断層像を得たスライス数などの利用状況等を示す利用情報などから成り立っている。
【００５６】
また、品質情報は、装置の出力する画質やキャリブレーションに関するキャリブレーション情報で、キャリブレーションの種類、実施の日時、キャリブレーション推奨頻度、画質の良否を管理するために画質に基づいて示される画質管理値などから成り立っている。
【００５７】
（指標値提供手順）
次に本発明に係る指標値提供手順について説明する。図７は、指標値提供システム１が行う指標値提供方法の手順を示すフローチャート図である。
【００５８】
本指標値提供システム１は、レポートを作成・配信してベンチマークの提供を行うのであるが、クライアント端末２、管理者端末１７などからの作成要求があった場合、或いは、例えばレポートの作成を管理するスケジューラを設けて、レポートの作成要求を定期的に行うように予めプログラムしておき、プログラムに従ってスケジューラからの作成要求があった場合に開始される。
【００５９】
例えば作成要求は、クライアント端末２による場合、（装置・病院情報の登録）での説明と同様にして、クライアント端末２と指標値提供システム１の間で、画面表示要求、画面情報送信などを繰り返して行い、クライアント端末２に図８に示すようなレポート作成要求画面９０１を予め記憶手段（不図示）に記憶されている画面情報に基づいて表示させる。例えば、レポート作成要求画面９０１で、医療診断装置の動作状況を示す評価項目、ユーザが評価することを所望する評価対象の医療診断装置、及び、ユーザが所望するベンチマーク対象装置条件を入力して行う。レポート作成要求画面９０１には、図８に示すように、ドロップタグメニューに評価項目を選択可能に表示する評価項目表示欄９１１、ドロップタグメニューに医療診断装置を選択可能に表示する装置表示欄９１２、ベンチマーク対象装置条件としての装置・病院情報が選択可能に表示される条件表示欄９１３、及び、入力された情報を指標値提供システムに送信するための送信キー９１４が表示されている。
【００６０】
評価項目表示欄９１１で評価項目を選択する。評価項目は、医療診断装置の動作状況を示すもので、例えばＣＴ装置における、検査時間、検査回数、画像再構成枚数、患者数、スライス数に関するものである。例えば、一検査当たりの平均検査時間、一日当たりの平均検査回数、一検査当たりの平均画像再構成枚数、一時間当たりの検査した患者数（患者スループット）、稼働時間に対する検査時間の割合、一検査当たりの平均スライス数などが表示され、その中の１つを選択する。また、装置表示欄９１２では、評価対象の医療診断装置を選択する。さらに、条件表示欄９１３でベンチマーク対象装置条件としての装置・病院情報から少なくとも１つを選択する。条件表示欄９１３には、「装置種別」、「装置モデル」、「病院種別」、「病院規模」、「病院経営体」、「病院地域」、及び、「稼働時間」の項目を示すチェックボックスが表示され、チェックボックスにチェックして選択できる。また、項目を示すチェックボックスは、１つまたは複数の選択が可能となっている。そして、送信キー９１４をクリックして、画面で選択した入力情報（評価項目、評価対象の医療診断装置、及び、ベンチマーク対象装置条件）を指標値提供システム１に送信する。
【００６１】
また、レポートの作成を管理するスケジューラを設け作成要求を行う場合には、評価項目、評価対象の医療診断装置、及び、ベンチマーク対象装置条件とレポートを配信する間隔とを関連付けて予めデータベースに記憶しておき、記憶された配信間隔に基づいてスケジューラは定期的に作成要求を行い、レポートを作成するように制御することも可能である。この場合、記憶されている評価項目、評価対象の医療診断装置、及び、ベンチマーク対象装置条件の変更を行う場合には、例えば、クライアント端末２で、評価項目表示欄９１１、装置表示欄９１２、及び、条件表示欄９１３を備える画面を用いて評価項目、評価対象の医療診断装置、及び、ベンチマーク対象装置条件を選択し指標値提供システム１に送信することにより、指標値提供システム１で、選択を受けて変更することができる。
【００６２】
上述のように作成要求がなされると、評価対象装置評価値演算手段１６１は、評価対象の医療診断装置について評価項目に必要なログ情報をログ情報ＤＢ１５から抽出し、評価値を算出する（Ｓ１０１）。例えば、評価項目が一検査当たりの検査時間の場合には、評価対象装置評価値演算手段１６１は、対象期間の検査開始時刻と検査終了時刻を抽出し、（ログ情報として検査時間があれば検査時間を抽出）、抽出結果から検査時間を求め、さらに評価値である一検査あたりの平均検査時間を求める。
【００６３】
また、一検査当たりの平均画像再構成枚数の場合には、対象期間の検査ごとの画像再構成枚数を抽出して、抽出結果を用いて一検査当たりの平均画像再構成枚数を求める。また、一時間当たりの検査した患者数の場合には、対象期間の患者ごとの検査開始時刻と検査終了時刻を抽出し、抽出結果を用いて患者ごとの検査時間を求め、さらに一時間あたりに検査した患者数（患者スループット）を求める。また、稼働時間に対する検査時間の割合の場合には、対象期間の装置の起動時刻、装置の終了時刻、及び、各検査の検査開始時刻と検査終了時刻を抽出して、抽出結果から、稼働時間及び検査時間を求めてその稼働時間及び検査時間から稼働時間に対する検査時間の割合を求める。また、対象期間の検査ごとのスライス数を抽出して、抽出結果を用いて一検査当たりの平均スライス数を求める。
【００６４】
次に、ベンチマーク対象装置ＩＤ抽出手段１２２は、選択されたベンチマーク対象装置条件を受けて、その条件を満たす医療診断装置の装置ＩＤを抽出する（Ｓ１０２）。例えば、ベンチマーク対象装置条件として「病院規模」が選択されていた場合には、装置・病院ＤＢ１４を参照して、評価対象の医療診断装置の病院規模と同じ医療診断装置を抽出する。具体的には、評価対象の医療診断装置の病院規模が「１００〜３００床」であれば、装置・病院ＤＢ１４に記憶されている病院規模が「１００〜３００床」の医療診断装置の装置ＩＤを抽出する。また、ベンチマーク対象装置条件が複数、例えば、「病院種別」と「病院規模」が選択されていた場合には、装置・病院ＤＢ１４を参照して、評価対象の医療診断装置の病院種別及び病院規模と同じ医療診断装置の装置ＩＤを抽出する。具体的には、評価対象の医療診断装置の病院種別が「脳神経」で病院規模が「１００〜３００床」であれば、装置・病院ＤＢ１４に記憶されている病院種別が「脳神経」、且つ、病院規模が「１００〜３００床」の医療診断装置の装置ＩＤを抽出する。ただし、病院種別が「脳神経」、または、病院規模が「１００〜３００床」の医療診断装置の装置ＩＤを抽出するようにしてもよい。
【００６５】
さらに、ベンチマーク演算手段１６２は、ベンチマーク対象装置ＩＤ抽出手段１２２で抽出された装置ＩＤに該当するベンチマーク対象の医療診断装置についてのログ情報をログ情報ＤＢ１５から抽出しそれぞれの評価値を求める。さらに求めた評価値からベンチマークを算出する（Ｓ１０３）。例えば、評価項目が一検査当たりの検査時間の場合には、ベンチマーク演算手段１６２は、抽出された装置ＩＤに該当する医療診断装置の対象期間の検査開始時刻と検査終了時刻を抽出し、（ログ情報として検査時間があれば検査時間を抽出）、抽出結果から検査時間を求め、抽出された装置ＩＤの医療診断装置それぞれの評価値の一検査あたりの検査時間を求め、さらにベンチマークを評価値の平均値とする場合には、各抽出された装置ＩＤの医療診断装置一検査あたりの検査時間の平均値を求める。
【００６６】
また、評価項目が、一時間当たりの検査した患者数（患者スループット）、稼働時間に対する検査時間の割合、及び、一検査当たりの平均スライス数の場合にも、抽出された装置ＩＤの医療診断装置の各評価値を求めて、さらに求めた評価値からベンチマークを求めればよい。
【００６７】
そして、レポート化手段１２３は、評価対象の医療診断装置の評価項目についての評価値とベンチマークを併せて提供する。例えば、図９に示すような表にして、その表の貼り付けやメールアドレスなどの情報を記入するなどレポートとしての体裁を整えてレポートを作成する（Ｓ１０４）。作成されたレポートは、レポート配信手段１２１からメールサーバ１３に送られ、メール送信手段１３１により、各ユーザのメールアドレスへ送信される（Ｓ１０５）。そして、各ユーザは、クライアント端末２等を用いて電子メールとして送信されたレポートを閲覧することができる。また、ユーザが、クライアント端末２のブラウザ機能を用いてレポートを閲覧することも可能である。この場合には、レポート化手段１２３でグラフや表を貼り付けたレポートと、少なくともレポートを作成した旨とメールアドレスを記載した電子メールを作成し、レポート配信手段１２１は、電子メールをメールサーバ１３に、レポートをウェブサーバ１１に送ることにより、メールを受信したユーザが、クライアント端末２のブラウザ機能を用いてレポートを閲覧することができる。また、レポート配信手段１２１から図示しないファクシミリサーバを介して、電話回線を介してファクシミリでレポートを配信してもよい。
【００６８】
このようにベンチマークを求めることにより、評価対象の医療診断装置と同等の条件の（装置・病院条件が同じ）医療診断装置、例えば、同等の規模の病院に設置されている医療診断装置の動作状況に対して、評価対象の医療診断装置の動作状況を比較することができる。
【００６９】
また、上述の説明では、ベンチマーク対象装置を、評価対象の医療診断装置についての少なくとも１つ装置・病院情報と同じとなる医療診断装置の装置ＩＤを抽出する例で示したが、少なくとも１つ装置・病院情報を選択し、その装置・病院情報と同じ医療診断装置をベンチマーク対象装置として抽出する例を、クライアント端末２で作成要求を行う場合を例に説明する。
【００７０】
まず、上述と同様にクライアント端末２と指標値提供システム１の間で、画面表示要求、画面情報送信などを繰り返して行い、クライアント端末２に図１０に示すようなレポート作成要求画面９０２を予め記憶手段（不図示）に記憶されている画面情報に基づいて表示させて、レポート作成要求画面９０２で、評価項目、評価対象の医療診断装置、及び、ベンチマーク対象装置条件を入力して行う。レポート作成要求画面９０２には、図１０に示すように、ドロップタグメニューに評価項目を選択可能に表示する評価項目表示欄９２１、ドロップタグメニューに医療診断装置を選択可能に表示する装置表示欄９２２、ベンチマーク対象装置条件としての装置・病院情報の項目についての内容が選択可能に表示される条件表示欄９２３、及び、入力された情報を指標値提供システムに送信するための送信キー９２４が表示されている。
【００７１】
評価項目及び評価対象の医療診断装置を上述と同様に選択し、さらに、条件表示欄９２３でベンチマーク対象装置条件として装置・病院情報の少なくとも１つについての内容を選択する。条件表示欄９２３には、「装置種別」、「装置モデル」、「病院種別」、「病院規模」、「病院経営体」、「病院地域」、及び、「稼働時間」で示す項目と、項目についての内容が表示され、各内容のチェックボックスにチェックすることで選択できるように表示されている。また、チェックボックスは１つまたは複数の選択が可能となっている。そして、上述と同様に送信キー９２４をクリックして、画面で選択した入力情報（評価項目、評価対象の医療診断装置、及び、ベンチマーク対象装置条件）を指標値提供システム１に送信する。
【００７２】
この場合は、ベンチマーク対象装置ＩＤ抽出手段１２２は、ベンチマーク対象装置条件として「病院規模」が「１００〜３００床」と選択されていた場合には、装置・病院ＤＢ１４を参照して、病院規模が「１００〜３００床」の医療診断装置の装置ＩＤを抽出する。また、ベンチマーク対象装置条件が複数、例えば、病院種別が「脳神経」と病院規模が「１００〜３００床」とが選択されていた場合には、装置・病院ＤＢ１４を参照して、病院種別が「脳神経」、且つ、病院規模が「１００〜３００床」の医療診断装置の装置ＩＤを抽出する。ただし、病院種別が「脳神経」、または、病院規模が「１００〜３００床」の医療診断装置の装置ＩＤを抽出するようにしてもよい。
【００７３】
このようにしてベンチマーク対象装置として抽出してベンチマークを求めることにより、所望の条件の医療診断装置、例えば、同等の規模の病院に設置されている医療診断装置や目標とする規模の病院に設置されている医療診断装置の動作状況に対して、評価対象の医療診断装置の動作状況を比較することができる。
【００７４】
また、ベンチマーク演算手段１６２は、ベンチマークをベンチマーク対象装置の評価値の平均値を例に示したが、ベンチマークの種類はこれに限らない。例えば、ベンチマークの種類は、抽出したベンチマーク対象装置の評価値について、最良値、上位３０％を示す値、下位３０％を示す値、最悪値などであってよい。言うまでも無いが、これらは一例であって抽出したベンチマーク対象装置の評価値から求められる他の値、例えば上位１０％を示す値等々でよい。
【００７５】
また、ベンチマーク演算手段１６２が求めるベンチマークをユーザが所望する種類とするようにしてもよい。この場合には、図示しないが、例えば図８または図１０に示すレポート作成要求画面９０１、９０２にドロップタグメニューでベンチマークの種類を選択可能に表示する欄を表示してユーザが選択できるようにすればよい。このように、ユーザが所望する種類のベンチマークを求めることにより、比較する意味の無いベンチマークを表示することなく、有意義なベンチマークを表示することができる。
【００７６】
また、このような複数の種類のベンチマークの中から、評価対象の医療診断装置の評価値に応じて選択して表示するように求めてもよい。例えば、ベンチマーク演算手段１６２でベンチマーク対象装置の評価値の分布を求めて、その分布に対する評価対象の医療診断装置の評価値の分布位置を解析して、その結果に応じて、例えば以下のようにベンチマークを求めてもよい。
【００７７】
例えば、評価対象の医療診断装置の評価値とベンチマーク対象装置の評価値の分布を求め、評価対象の医療診断装置の評価値が、ベンチマーク対象装置の評価値の分布に対し上位３０％に含まれる場合には、最良値をベンチマークとする。或いは、最良値と上位３０％を示す値をベンチマークとする。また、上位３０％を示す値より低く、平均値以上の位置に含まれる場合には、上位３０％を示す値をベンチマークとする。或いは、上位３０％を示す値と平均値をベンチマークとする。また、平均値より低く、下位３０％を示す値以上の位置に含まれる場合には、平均値をベンチマークとする。或いは、平均値と下位３０％を示す値をベンチマークとする。また、下位３０％に含まれる場合には、下位３０％を示す値をベンチマークとする。或いは、下位３０％を示す値と最悪値をベンチマークとする。このようにすれば、ベンチマークとして評価対象の医療診断装置の目標となるような値を表示したい場合などに、評価対象の医療診断装置の評価値に応じて求めることができる。
【００７８】
上述のように、評価対象の医療診断装置の評価値に応じてベンチマークを求めることにより、比較する意味の無いベンチマークを表示することなく、有意義なベンチマークを表示することができる。
【００７９】
また、評価対象の医療診断装置の評価値とベンチマークを表示するだけでなく、評価値の分布を示すグラフを作成するグラフ化手段をベンチマーク計算モジュール１６に備え、図１１に示すように評価対象の医療診断装置の評価値とベンチマーク対象装置の評価値の分布図を作成して、評価値及びベンチマークとともにレポートにしてもよい。図１１によれば、評価対象の医療診断装置の評価値のベンチマーク対象装置の評価値の分布に対する位置を一目で把握できる。
【００８０】
また、上述のベンチマークは、抽出したベンチマーク対象装置からベンチマーク演算手段１６２で求めたものを表示したが、併せて、評価値を求めるための対象期間より以前の評価対象の医療診断装置のログ情報に基づいて、評価対象の医療診断装置の過去の動作状況を示す履歴情報をベンチマーク演算手段１６２で求めて、表示してもよい。履歴情報は、例えば、前年の同時期の評価値、或いは、評価対象の医療診断装置の過去の評価値から求められる、過去の平均値、最良値、上位３０％を示す値、下位３０％を示す値、最悪値などである。このようすれば評価対象の医療診断装置の動作状況について過去との差や推移などを把握することができる。
【図面の簡単な説明】
【００８１】
【図１】本実施の形態に係る指標値提供システムの一実施の形態を示す機能ブロック図である。
【図２】装置・病院情報ＤＢに記憶される装置・病院情報の登録手順を示すシーケンス図である。
【図３】装置・病院情報を入力するための表示画面の一例を示す図である。
【図４】図１に示す指標値提供システムの装置・病院情報ＤＢに記憶されるテーブルの１例を示す図である。
【図５】図１に示すログ情報ＤＢに記憶されるログ情報の登録手順を示すシーケンス図である。
【図６】ログ情報ＤＢに記憶されるログ情報の構成の一例を示す。
【図７】本実施の形態におけるレポート配信方法の手順を示すフローチャートである。
【図８】ベンチマーク対象装置条件を入力するための表示画面の一例を示す図である。
【図９】レポートに表示される表の一例を示す図である。
【図１０】ベンチマーク対象装置条件を入力するための表示画面の一例を示す図である。
【図１１】レポートに表示されるグラフの一例を示す図である。
【符号の説明】
【００８２】
１  指標値提供システム
２  クライアント端末
３  ネットワーク
４  医療診断装置
５  サービスプロセッサ
１１  ウェブサーバ
１２  レポート作成サーバ
１３  メールサーバ
１４  装置・病院情報ＤＢ
１５  ログ情報ＤＢ
１６  ベンチマーク計算モジュール
１７  管理者端末
【図１】
2005234983.tif 000003
【図２】
2005234983.tif 000004
【図３】
2005234983.tif 000005
【図４】
2005234983.tif 000006
【図５】
2005234983.tif 000007
【図６】
2005234983.tif 000008
【図７】
2005234983.tif 000009
【図８】
2005234983.tif 000010
【図９】
2005234983.tif 000011
【図１０】
2005234983.tif 000012
【図１１】
2005234983.tif 000013